(57)【特許請求の範囲】
【請求項１】
バンド（１２）と、そのバンド（１２）が内部に係合して並進移動することができる滑り溝（３０）を設けたケース（１０）とで形成された時計であって、前記バンドは、前記バンドの長さにほぼ一致した長さを有するストラップ（３６）で形成されており、そのストラップの二つの長手方向に沿った縁部（３６ａ、３６ｂ）がその全長にわたって丸められて、二つのロール（３６ｄ、３６ｅ）を形成していることを特徴とする時計。
【請求項２】
前記ストラップは、糸メッシュで形成されていることを特徴とする請求項１記載の時計。
【請求項３】
前記糸は金属であることを特徴とする請求項２記載の時計。
【請求項４】
前記バンド（１２）は、いわゆるミラニーズ構造を形成する糸メッシュで形成されていることを特徴とする請求項２または３記載の時計。
【請求項５】
前記ストラップの前記長手方向に沿った縁部（３６ａ、３６ｂ）は、前記ストラップの中央部分（３６ｃ）と接触して、曲げによってその形状が保持されていることを特徴とする請求項１〜４のいずれか１項記載の時計。
【請求項６】
前記バンド（１２）および前記ケース（１０）は、バンドが延びた状態では前記ケース（１０）がそのバンド（１２）に沿って自由に摺動することができ、曲がっている状態では前記バンド（１２）の曲率半径が小さいほど大きい力の作用によってのみ、ケースが摺動することができるように構成されていることを特徴とする先行請求項のいずれか１項記載の時計。
【請求項７】
前記ロールは、前記バンド（１２）が曲げられた時に前記滑り溝（３０）の壁と協働することができる突出した状態の部分を形成する弾性構造体を形成していることを特徴とする先行請求項のいずれか１項記載の時計。
【請求項８】
前記ケース（１０）は、特に二つの大きい表面（１０ａ、１０ｂ）と二つの小さい表面（１０ｃ、１０ｄ）とを有するほぼ平行六面体の形状を有し、
前記大きい表面の一方（１０ａ）、すなわち上表面にガラス蓋（１８）が設けられて、それを通して時間を読み取ることができ、
他方の大きい表面（１０ｂ）、すなわち下表面は、前記滑り溝（３０）の壁の１つを形成しており、
前記二つの小さい表面（１０ｃ、１０ｄ）は、前記大きい下表面（１０ｂ）より先まで延出して爪（２８）を形成しており、該爪は、前記下表面（１０ｂ）と協働して、前記滑り溝（３０）の壁を構成していることを特徴とする先行請求項のいずれか１項記載の時計。
【請求項９】
前記バンド（１２）および前記ケース（１０）は、金属製であることを特徴とする先行請求項のいずれか１項記載の時計。
【請求項１０】
長手方向の両縁部（３６ａ，３６ｂ）がロール（３６ｄ，３６ｅ）を形成するよう全長に亘って前記両縁部を丸めた時計用バンド。
【請求項１１】
腕時計のケースに設けた滑り溝（３０）内に係合して並進移動することが出来る腕時計用バンドであって、前記時計用バンド（１２）は全長に亘って丸められて二つのロールを形成している二つの長手方向に添った縁部を有するストラップを含む腕時計用バンド。
【発明の詳細な説明】
【０００１】
【発明の属する技術分野】
本発明は、腕時計に関する。特に、本発明は、滑り溝を設けたケースと、滑り溝内に係合して並進移動することができるバンドとで形成された時計に関する。
【０００２】
【従来の技術】
この形式の時計は、たとえば、ヨーロッパ特許第０  ２６４  ８７４号、英国特許第２  ２１７  ５７７号、米国特許第５，０６８，８４０号またはベルギー特許第５４５  ２３７号から公知である。そのような方法は、１本のストランドのバンドを形成できるようにする。さらに、ケースをバンド上で移動させて、特に時間を読み取りやすくするように時計着用者が選択した位置に配置することができる。
【０００３】
これらの時計では、バンドすなわち時計ストラップが、一般的に皮革または布などの可撓性材料で形成されている。その結果、バンドに対する滑り溝の摩擦によって早期に摩耗するであろう。しかし、ケースがバンドに沿って容易に移動しすぎる場合、着用時に着用者がそれを所定位置に頻繁に戻さなければならないであろう。
【０００４】
【発明が解決しようとする課題】
本発明の主たる目的は、これらの問題を解決することである。
【０００５】
【課題を解決するための手段】
本発明はバンドとケースとで形成された時計であり、そのケースは内側にバンドを係合させてバンドに沿って並進移動することができる滑り溝を設けてある。
一方バンドは、そのバンドの長さにほぼ一致した長さを有するストラップで形成されており、ストラップの二つの長手方向に沿った縁部がその全長にわたって丸められて、二つのロールを形成している。
バンドとしては、たとえば、いわゆるミラニーズ構造を形成する編み糸、特に金属糸で形成されたストラップを使用することによって、特に良好な結果が得られた。
【０００６】
試験から、長手方向に沿った縁部を中央部分と接触させるように曲げてストラップを永久変形させることによって、二つのロールを備えたバンドを形成することができるということがわかった。このため、バンドの形状を保証するために、ストラップの縁部を溶接または接着する必要がない。さらに、これによって得られる構造体は、可撓性が高いと共に、丸みのある縁部を有するため、着用者の快適感を高める。
【０００７】
本発明に従った時計では、バンドが伸張時に滑り溝内を容易に移動して、それを迅速に位置決めできる。しかし、着用中には、着用者が望む場合だけ、ケースが摺動できるようになっている。それは、バンドおよびケースが、バンドが延びている位置ではバンドがケース上を自由に摺動することができるが、曲がっているときにはバンドの曲率半径が小さいほど大きい力の作用によってのみ、ケースが摺動することができるように構成されているからである。
【０００８】
この特徴は、ロールが、バンドが曲げられた時に滑り溝の壁と協働する突出した状態の部分を形成する弾性構造体となる時に達成されるであろう。したがって、突出した状態の部分が滑り溝の壁と協働して、ケースは妨げられずに適切な位置決めが確保される。
【０００９】
本時計では、滑り溝は、四つの側面の壁で区画された矩形開口からなるループで形成されている。そのような構造であるため、滑り溝の壁に対してバンドの突出した状態の部分によって摩擦が生じる時計に適用した場合、時計の着用中に滑り溝が時計の移動を防止することができる。それは、ケースが、特に二つの大きい表面と二つの小さい表面とを有するほぼ平行六面体の形状を有し、
大きい表面の一方、すなわち上表面にガラス蓋が設けられて、それを通して時間を読み取ることができ、
他方の大きい表面、すなわち下表面が、滑り溝の壁の１つを形成しており、
二つの小さい表面が、大きい下表面より先まで延出して爪を形成しており、爪が下表面と協働して滑り溝の壁を構成しているためである。
【００１０】
快適な着用、美しい外観および寿命を確保するために、バンドおよびケースの両方が金属製である。
【００１１】
本発明はまた、請求項１０に従ったバンド、特に時計バンドに関する。
【００１２】
本発明の他の利点および特徴は、添付図面を参照した以下の説明から明らかになるであろう。
【００１３】
【発明の実施の形態】
図１に示されている時計は、ケース１０と、図２を参照しながら説明するように、摺動可能に取り付けられた幅ｌのバンド１２とを含む。図２は、図１の時計の断面図を相当に拡大して示している。
【００１４】
ケース１０は、ステンレス鋼製の中間部分１４および裏蓋１６と、透明材料製のガラス蓋１８とを含み、これらによってハウジング２０が形成され、その内部には、文字盤２４および針２６を支持している時計ムーブメント２２が配置されている。
【００１５】
ケース１０の形状はほぼ平行六面体である。それは、二つの大きい表面１０ａおよび１０ｂと、二つの小さい面１０ｃおよび１０ｄと、二つの中間表面１０ｅおよび１０ｆとを有する。
【００１６】
上表面１０ａは実質的にガラス蓋１８で形成され、それを通して時間を読み取ることができる。下表面１０ｂは、裏蓋１６によって形成されている。
【００１７】
二つの小さい表面１０ｃおよび１０ｄは、バンド１２の縁部に平行に配置されている。それらは、下表面１０ｂより先へ延出して爪２８を形成しており、これは下表面と協働して、バンド１２が係合する滑り溝３０の壁を構成している。各爪２８に隆起部分３２が設けられており、隆起部分は互いに向き合って、バンド１２が滑り溝３０から抜け落ちないようにしている。
【００１８】
図３に示されているように、バンド１２は、直径が０．１〜０．３ｍｍのステンレス鋼糸から製造された織り地シート３４で形成されている。織り地メッシュの構造は、当該技術分野の専門家には公知であるため、図面をわかりやすくするために概略的に示されているだけである。シート３４を切断してストラップ３６にする。
【００１９】
切断作業によってワイヤが縁部３６ａおよび３６ｂで押しつぶされ、これによって織り地メッシュのほつれが防止される。しかし、これらの縁部は比較的鋭利な構造であり、触れると不快である。本発明によるバンドでは、ストラップ３６が、バンドの幅ｌの２倍よりわずかに大きい幅Ｌに切断される（図２）。
【００２０】
この鋭利な構造を避けるために、二つの縁部３６ａおよび３６ｂがその全長にわたって丸められて、ストラップの中央部分３６ｃに曲げ込むことによって形状が保持され、二つの中空スクロールまたはロール３６ｄおよび３６ｅが形成される。
【００２１】
ロール３６ｄおよび３６ｅを形成することによって、中央部分３６ｃがわずかに変形し、わずかに曲がる。これによって形成されたバンドは、鋭利な縁部が隠蔽されているためだけでなく、表面のすべてが丸くなっているため、触れた時に特に快適な構造を有する。
【００２２】
縁部３６ａおよび３６ｂを溶接した後、このように形成されたストラップの端部にバンド取り付け金具を従来通りに固定することによって、バンドを着用者の腕に着脱できるようになる。
【００２３】
バンド１２の寸法は、図５に示されているように、それを延ばした時に滑り溝３０内を自由に摺動できるように選択される。
【００２４】
時計を着用者の腕に固定した時、バンドが長手方向に曲がる（図６）。その結果、バンドの中央部分がケース１０の裏蓋１６と接触し、ロール３６ｄおよび３６ｅが隆起部分３２と接触する。メッシュで突出した状態の部分が形成されている編み地構造が、ケースに対するバンドの摩擦を生じる。バンド１２が曲げられるほど、摩擦が大きくなる。
【００２５】
ロール３６ｄおよび３６ｅの形状のため、それらの各々が容易に弾性変形することができるので、問題なくバンドの曲率をある程度大きくすることができる。
【００２６】
本発明には多くの変更を加えることができる。このため、丸形ケースを有する時計を製造することも可能である。その場合、ケースの形状の、ムーブメントを収容している部分と滑り溝を形成している部分との間に形状の不一致ができる。
そのような方法は、おもしろい美的可能性を与えることができる。
【００２７】
この形式の時計をプラスチック材料製にすることもできる。その場合、着用者の腕と接触する予定のバンドの表面に起伏のある面を設けて、このようにして爪と協働する突出した状態の部分を形成して摩擦機能を果たさせるようにすることが好都合である。
【００２８】
半硬質タイプのプラスチックまたは合成糸によって形成された編み地シートでバンドを形成することも考えられるであろう。その場合、溶接または接着などによってバンドのロール状長手方向に沿った縁部をこの状態に保持できるであろう。もちろん、その場合には、バンドの早期摩耗を防止するために、時計ケースをプラスチック材料製にすることが好ましいであろう。
【図面の簡単な説明】
【図１】本発明に従った時計の好適な実施形態を下から見た図である。
【図２】この時計の図１のＩＩ−ＩＩ線に沿った断面図である。
【図３】本発明に従ったバンドの製造段階を示している。
【図４】本発明に従ったバンドの製造段階を示している。
【図５】それぞれ開放および閉鎖位置においてケースがバンドと協働する様子を概略的に示している。
【図６】それぞれ開放および閉鎖位置においてケースがバンドと協働する様子を概略的に示している。
【符号の説明】
１０  ケース
１２  バンド
３０  滑り溝
３６  ストラップ
３６ａ、３６ｂ  長手方向に沿った縁部
３６ｄ、３６ｅ  ロール
【図１】
0004571324.tif 000002
【図２】
0004571324.tif 000003
【図３】
0004571324.tif 000004
【図４】
0004571324.tif 000005
【図５】
0004571324.tif 000006
【図６】
0004571324.tif 000007